(57)【特許請求の範囲】
【請求項１】
背アウターシェルと、この背アウターシェルの内面に添設される背インナーシェルとを備え、
前記背インナーシェルにヘッドレスト取付部を設け、このヘッドレスト取付部に取り付けられたヘッドレストを前記背インナーシェルにより直接に支持し得るように構成してなる椅子であって、
ヘッドレストが一体に形成したものであり、着座者の頭部を支持するためのヘッドレスト本体と、前記背インナーシェル取付部の前面に密着させた状態で取り付けるための板状のベースと、前記ヘッドレスト本体及び前記ベースの間を側面視屈曲させた屈曲部とを有したものとしていることを特徴とする椅子。
【請求項２】
前記屈曲部が、当該屈曲部において側面視凹ませた前面側にクッションの引き込み部を有している請求項１記載の椅子。
【請求項３】
前記引き込み部が、前記クッションを押える為のワイヤを位置付けるためのワイヤ溝と、当該ワイヤを引っ張る紐を挿通させるための紐挿通孔とを有している請求項２記載の椅子。
【請求項４】
前記屈曲部が、当該屈曲部の背面側に前記背インナーシェルの上縁に載置するための側面視突出させた載置段部を有し、前記背インナーシェルと前記ヘッドレストとの背面側の表面を連続させて形成している請求項１、２又は３記載の椅子。
【請求項５】
前記ヘッドレスト本体と前記ベースとを一体に形成し、ヘッドレスト本体を側面視湾曲させた形状とするとともに前記ベースを平面視湾曲させた形状としている請求項１、２、３又は４記載の椅子。
【請求項６】
前記背インナーシェルに前記ヘッドレストを支持させた状態でクッションを添設させ、しかる後に当該背インナーシェル、ヘッドレスト及びクッションを張り地で覆うことにより、前記背アウターシェルに取り付け得る背ユニットを構成している請求項１、２、３、４又は５記載の椅子。
【請求項７】
背ユニットの上端を背アウターシェルに対して当該背アウターシェルの面方向の動作を許容した状態で取り付けている請求項６記載の椅子。
【発明の詳細な説明】
【技術分野】
【０００１】
本発明は、ヘッドレストを具備する椅子に関するものである。
【背景技術】
【０００２】
従来、ヘッドレストを設けた椅子が種々提案されている。これらのようなものは、一般に背の外形を構成する背フレームや背アウターシェルに強固に取り付けられたものとなっている。そしてこれらのヘッドレストを備えた椅子は、前記背フレームや背アウターシェルに対して着脱可能に構成されたものとして着座者の使用目的によってヘッドレストの有無を選択し得るようなものや、背フレームやアウターシェルに対する相対角度を調整し得る機能が付与されることによって、着座者個人の姿勢に応じて頭部を支持することができる椅子も提案されている。
【０００３】
また同文献に記載の椅子は、着座者の上体の姿勢変更に応じ易くするための構成として、背の外形を構成する背アウターシェルの内側に、当該背アウターシェルよりも柔らかいと思われる素材により構成した背インナーシェルを設け、当該背インナーシェルを着座者の背の形や姿勢変更に追従させる態様とすることにより、着座者の上体を腰から背に亘って背インナーシェルに支持させるとともに、着座者の頭部は背アウターシェルに取り付けられたヘッドレストによって支持させているものとなっている（例えば、特許文献１参照）。
【先行技術文献】
【特許文献】
【０００４】
【特許文献１】特開２００３−２６５２６４号公報
【発明の概要】
【発明が解決しようとする課題】
【０００５】
しかしながら、上記の特許文献１の通り従来のヘッドレストは、上述の通り背の外形を構成する背フレームや背アウターシェルに取り付けられているため、例えば前記特許文献２の椅子のように背インナーシェルによって好適に着座者の上体の移動に応じ得る態様としても、ヘッドレストの位置は背アウターシェルによって決められているために、ヘッドレストは背インナーシェルの動作すなわち上体の動作に応じて着座者の頭部に追従し得ていないのが現状である。
【０００６】
また、ヘッドレストを背インナーシェルの動作或いは変形にともなう頭部の動きに対応させるものとするためには、背フレームや背アウターシェルに対するヘッドレストの取付構造をより複雑なものとしなければならない。しかしながら、そのような態様を採用したとしても、ヘッドレストは着座者の頭部の動作を介した動作となるため、着座者の頭部には動作に伴って起こる摩擦や圧迫による違和感を多かれ少なかれ与えてしまっているのが現状である。
【０００７】
本発明は、このような不具合に着目したものであり、着座者の上体の移動に容易かつ確実に対応させ得る椅子を提供することを目的としている。
【課題を解決するための手段】
【０００８】
本発明は、このような目的を達成するために、次のような手段を講じたものである。
【００１１】
また、本発明に係る椅子は、背アウターシェルと、この背アウターシェルの内面に添設される背インナーシェルとを備えてなる椅子であって、前記背インナーシェルにヘッドレスト取付部を設け、このヘッドレスト取付部に取り付けられたヘッドレストを前記背インナーシェルにより直接に支持し得るように構成した。
【００１２】
このようなものであれば、ヘッドレストは背インナーシェルに直接に支持されているため、着座者の上体の細やかな移動に対して、着座者の頭部を介させることなく背インナーシェルの動きにヘッドレストの動きを細やか且つ速やかに対応させることが可能となる。そうすることにより、背インナーシェルに背を預けた着座者の座り心地を損なうことなく好適に頭部を支持し得るヘッドレストを具備した椅子を提供することが可能となる。
【００１３】
背インナーシェルの動作を損なうことを有効に回避し得るヘッドレストの取付を実現するためには、ヘッドレストを、着座者の頭部を支持するためのヘッドレスト本体と、前記背インナーシェル取付部に取り付けるためのベースと、前記ヘッドレスト本体と前記ベースとの間を側面視屈曲させた屈曲部とを有した一体に形成したものとする。
【００１４】
そして屈曲部が、当該屈曲部において側面視凹ませた前面側にクッションの引き込み部を有したものとすれば、ヘッドレストにも背インナーシェル同様のクッションを簡単な構造で適用することができる。
【００１５】
特に、張り地やクッションを好適に取付け得る具体的な構成として、引き込み部が、前記クッションを押える為のワイヤを位置付けるためのワイヤ溝と、当該ワイヤを引っ張る紐を挿通させるための紐挿通孔とを有したものを挙げることができる。
【００１６】
ヘッドレストの背インナーシェルに対する取り付け並びに位置決めを速やか且つ確実に行い得るものとするためには、前記屈曲部が、当該屈曲部の背面側に前記背インナーシェルの上縁に載置するための側面視突出させた載置段部を有し、前記背インナーシェルとヘッドレストとの背面側の表面を連続させて形成しておくことが好ましい。
【００１７】
また、背インナーシェルに対する着座感を損なわずにヘッドレストを取り付けるための構成として本発明は、ベースが背インナーシェル取付部に密着し得る板状をなしたものであることを特徴としている。
【００１８】
前記ヘッドレスト本体と前記ベースとを一体に形成した際に、当該ヘッドレスト本体並びにベースの強度を有効に担保するためには、ヘッドレスト本体を側面視湾曲させた形状とするとともに前記ベースを平面視湾曲させた形状とすることが望ましい。
【００１９】
そして、ヘッドレストを適用した場合における椅子の組付けを速やかに行ない得るものとするためには、背インナーシェルに前記ヘッドレストを支持させた状態でクッションを添設させ、しかる後に当該背インナーシェル、ヘッドレスト及びクッションを張り地で覆うことにより、前記背アウターシェルに取り付け得る背ユニットを構成する態様を適用することが好ましい。
【００２０】
そして、背ユニットが着座者の上体に応じた動きを成し得るようにするためには、背ユニットの上端を背アウターシェルに対して当該背アウターシェルの面方向の動作を許容した状態で取り付けておくことが望ましい。
【発明の効果】
【００２１】
本発明によれば、ヘッドレストは背インナーシェルに直接に支持されているため、着座者の上体の細やかな移動に対して、着座者の頭部を介させることなく背インナーシェルの動きにヘッドレストの動きを細やか且つ速やかに対応させることが可能となるので、着座者の座り心地を損なうことなく好適に頭部を支持し得るヘッドレストを具備した椅子を提供することができる。
【図面の簡単な説明】
【００２２】
【図１】本発明の一実施形態を示す全体斜視図。
【図２】同実施形態の背凭れの前面側を示す分解斜視図。
【図３】同実施形態の背凭れの前面側を示す分解斜視図。
【図４】同実施形態の背ユニットの背面側を示す分解斜視図。
【図５】同実施形態の背凭れの一部を示す分解斜視図。
【図６】同実施形態における背ユニットの一部を示す部分拡大斜視図。
【図７】同実施形態における背ユニットの要部拡大斜視図。
【図８】同実施形態における背ユニットの要部拡大正面図。
【図９】図８におけるＸ−Ｘ線断面図。
【図１０】図８におけるＹ−Ｙ線断面図。
【図１１】図実施形態におけるヘッドレストの中央側端面並びに平端面図。
【発明を実施するための形態】
【００２３】
以下、本発明をシンクロチルト式の事務用回転椅子に適用した場合の一実施形態につき、図面を参照して説明する。
【００２４】
この椅子は、図１に示すように、脚部１と、この脚部１の上部に支持され水平旋回可能な支持基部２と、この支持基部２の上に配された座受け３と、この座受け３に保持された座４と、前記座受け３下方から左右上方に延びて設けられた肘掛け９と、前記支持基部２に後傾動作可能に設けられた背支桿５と、この背支桿５に取り付けられた背凭れ６とを具備してなる。
【００２５】
脚部１は、図１に示すように、キャスタを有した脚羽根タイプの脚ベース１１と、この脚ベース１１の中心部に立設した脚支柱１２とを具備してなる。前記脚支柱１２は、ガススプリングを主体に構成された通常のもので、この脚支柱１２の上端部に前記支持基部２が取り付けられている。
【００２６】
支持基部２は、図１に示すように、前記脚部１によって水平旋回可能に支持されたもので、前記脚支柱１２に装着されたハウジング２１と、このハウジング２１に貫装される背凭れ支持用の主軸２２と、この主軸２２に力を付与して前記背凭れ６の後傾動作に対して弾性反発力を発生させる図示しない傾動反力発生機構とを具備してなる。前記傾動反力発生機構は、図示しないコイルスプリングやガススプリング等を用いて前記主軸２２に回転方向の弾性反発力を付与し得るように構成されたものであるが、通常のものであるため説明を省略する。
【００２７】
座受け３は、図１に示すように、上面に座４を支持する盤状のもので、その前端側が前記支持基部２に前後動自在に支持されているとともに、後端側が前記背支桿５の基端近傍部分に相対回動可能に支持されている。この構成によって、この座受け３上に配される座４が、前記背凭れ６の後傾動作に対して一定の角度比率をもって沈み込む動作、換言すれば、シンクロチルト動作が実現されるようになっている。
【００２８】
肘掛け９は、図１に示すように、基端部を前記座受け３に取り付けられた肘支柱９１と、この肘支柱９１に支持された肘当て９２とを具備してなる。左右の肘掛け９は、左右対称形状をなしている。
【００２９】
背支桿５は、図１に示すように、全体が側面視ほぼＬ字型であり、基端部を前記支持基部２の主軸２２に後傾動作可能に取り付けられた下部背フレーム５２と、この下部背フレーム５２の先端に支軸５３を介して後傾動作可能に取り付けられた上部背フレーム５１とを備えている。前記下部背フレーム５２は、金属製のもので、その外側がカバー５２１により覆われている。そのカバー５２１の外面は、前記上部背フレーム５１の外面に連続する位置から座４の下面に至るまで前方に延びて設けられている。上部背フレーム５１は、合成樹脂により一体に成型され、背凭れ６が起立状態の場合にほぼ垂直に延び、この上端部で背凭れ６上部を支持している。すなわち、本実施形態では、背凭れ６の下方部位を下部背フレーム５２に固定する一方、背凭れ６の上方部位を上部背フレーム５１に上下方向スライド可能に支持させている。その上で、上部背フレーム５１を下部背フレーム５２とは独立に一定の角度範囲内で傾倒可能とし、前記上部背フレーム５１が下部背フレーム５２に対して傾動動作可能に構成されている。そしてこの上部背フレーム５１は、前記下部背フレーム５２に対して図示しないスプリングにより前傾方向に弾性付勢されている。この実施形態では、下部背フレーム５２と支持基部２との間に図示しない傾動禁止機構を設け、下部背フレーム５２の支持基部２に対する傾動を許容するフリーロッキング状態、または、下部背フレーム５２を所望の角度で傾動を禁止する任意位置固定状態を取り得るようになっている。傾動禁止機構の構造については、通常のものであるため説明を省略する。
【００３０】
背凭れ６は、図１乃至図６に示すように、背アウターシェル７の前面に背ユニット８を装着してなる。
【００３１】
背アウターシェル７は、図１乃至図３及び図５に示すように、合成樹脂製の一体成形品であり、上下方向中間部に最も前方に突出させた突出頂部を有し、その突出頂部から後方に湾曲した形状をなすシェル本体７０を主体に構成されており、このシェル本体７０の背面側に当該背アウターシェル７を背支桿５に取り付けるための下側取付部７１及び上側取付部７２を備えている。下側取付部７１は前記シェル本体７０の下部から後方に突出してなるものであり、前記下部背フレーム５２の上端部にビス等の止着具を用いて固定される。上側取付部７２はスライド係合機構Ｃを収容するための凹陥状のもので、この上側取付部７２に装着された図示しないスライド係合機構Ｃを介して背アウターシェル７と背支桿５の上部背フレーム５１の上端部とが上下方向に相対移動可能に接続される。
【００３２】
背アウターシェル７の前面側には、前記背ユニット８を取り付けるための上端取付部７３と、下端取付部７４とが設けられている。上端取付部７３は、前記シェル本体７０の上部に複数の掛爪７３１を左右方向に間隔をあけて突出させたものである。下端取付部７４は、前記シェル本体７０の下部中央に突出させた二股部分を有する中央突出部７４１と、前記シェル本体７０の下部両端に設けられた爪受部７４２とからなる。
【００３３】
背ユニット８は、図２乃至図４に示すように、背インナーシェル８１と、この背インナーシェル８１の直接に支持されたヘッドレスト８２と、これらヘッドレスト８２及び背インナーシェル８１をくるむ袋状の外装材８３とを具備してなる。
【００３４】
背インナーシェル８１は、図３乃至図６に示すように、前記背アウターシェル７と略同じ外形をなした合成樹脂製の一体成形品であり、上下方向中間部に最も前方に突出させた突出頂部を有し、その突出頂部から後方に湾曲した形状をなすシェル本体８１０を主体として構成される。このシェル本体８１０には、背インナーシェル８１を含む背ユニット８を前記背アウターシェル７に取り付けるための上端取付部８１１及び下端取付部８１２を設けている。上端取付部８１１は、前記シェル本体８１０の上部に設けられた複数の爪掛孔８１３を前記掛爪７３１に対応させて形成してなるもので、これら各爪掛孔８１３に前記掛爪７３１を上下方向に相対変位可能に掛け止めることにより、この背インナーシェル８１の上部を前記背アウターシェル７の上部に上下方向に相対変位可能に取り付けている。下端取付部８１２は、前記シェル本体８１０の下部中央部に設けられた中央挿入部８１４と、前記シェル本体８１０の下部両側部に設けられた爪部８１５とを具備してなる。中央挿入部８１４は、窓８１６の中間位置に横架材８１７を配設したもので、その窓８１６に挿入された背アウターシェル７の中央突出部７４１の二股部分を前記横架材８１７に係合させることによって、背インナーシェル８１の下端部中央を背アウターシェル７の下端部に、若干の回動や撓み以外の動作を禁止しながら、換言すれば、面方向並びに厚み方向においては相対移動不能に取り付けるようにしている。また、爪部８１５は、その先端が外側方に屈曲したもので、その爪部８１５を背インナーシェル８１の一時的な弾性変形を利用して背アウターシェル７の爪受部７４２に係わり合わせることにより、背インナーシェル８１の下端部両端を背アウターシェル７の下端部に、若干の回動や撓み以外の動作を禁止しながら、換言すれば、面方向並びに厚み方向においては相対移動不能に取り付けるようにしている。
【００３５】
ここで、本実施形態に係る椅子は、以上のようにしてなる背インナーシェル８１にヘッドレスト８２を直接支持させていることを特徴としている。具体的には、背インナーシェル８１におけるシェル本体８１０に、別体であるヘッドレスト８２を直接支持させていることを特徴としているものである。
【００３６】
以下本実施形態に係るヘッドレストの構成について、詳述する。
【００３７】
ヘッドレスト８２は、図３乃至図８並びに図１１に示すように、合成樹脂製の一体成型品であり、ヘッドレスト本体８２３と、このヘッドレスト本体８２３の下端縁から側面視屈曲させた屈曲部８２２を介して板状に設けられたベース８２１とを具備してなる。
【００３８】
ヘッドレスト本体８２３は、側面視において中央部が前方に突出し、かつ、平面視において中央部が凹陥するように湾曲させたもので、水平なスリット８２５を複数本平行に備えている。そしてスリットは、その開口端から背面側にそれぞれスリット８２５ａを突出させて設けている。
【００３９】
屈曲部８２２は、ヘッドレスト本体８２３とベース８２１との境界部分に形成されたもので、前面側が側面視くの字形に凹むように屈曲した形状をなしている。そして屈曲部８２２の背面側の湾曲形状は、背インナーシェル８１の上縁の湾曲形状に合致させてある。具体的には屈曲部は、側面視凹ませた前面側に位置付けたクッションの引き込み部８２４と、背面側に位置付けられ背インナーシェル８１の上縁の上側に載置するための載置段部８２８とを有している。引き込み部８２４は、外装材８３を取り付ける際にクッション８３１を張り地８３２ごと押えて境界８３３を形成するためのワイヤ８３ｗを位置付けるためのワイヤ溝８２６と、当該ワイヤ８３ｗを引っ張る紐８３ｔを挿通させるための紐挿通孔８２７とを有している。そして載置段部８２８は、屈曲部８２２の背面側において側面視突出させた形状をなす。そうすることにより、当該載置段部８２８を背インナーシェル８１の上側に載せ置いた状態では、背インナーシェル８１にヘッドレスト８２を直接的に支持させた際の背面側の表面外形が、張り地８３２が無理なく収まるようになめらかに連続するような外形を形成している。
【００４０】
ベース８２１は、背インナーシェル８１の前面に添設し得る板状のもので、複数のボルトｂを用いて背インナーシェル８１のシェル本体８１０に密着させた状態で取り付けられている。具体的には、ベース８２１の複数箇所に取り付けたナットＮにインナーシェル８１の背面側から貫通させたボルトｂを螺着することによって、このベース８２１が前記背インナーシェル８１に固定されるようになっている。
【００４１】
しかして本実施形態では、ヘッドレスト８２の具体的な形状を図５、図６及び図１１等に示すように設定することによって、以下に示す種々の作用を奏するものとしている。
【００４２】
すなわち同図に示すように、ヘッドレスト本体８２３を側面視湾曲させた形状とするとともにベース８２１を背インナーシェル８１のシェル本体８１０に密着するように平面視湾曲させた形状としている。そうすることにより、ヘッドレスト８２は屈曲部８２２を介して一体に形成しているので、特に平面視湾曲させたベース８２１を薄肉に形成しても、当該ベース８２１は上方が側面視湾曲させたヘッドレスト本体８２３に連続しているので、合成樹脂の厚み以上に平面視において撓み難いものに仕上がっている。
【００４３】
他方、ヘッドレスト本体８２３は、具体的には図１１（ａ）に示すように側面視湾曲させるとともに、平面視においても同図（ｂ）のように湾曲させることによって、ヘッドレスト本体８２３単体として撓みがたい形状を実現している。そして特に同図（ａ）に示すように、ヘッドレスト本体８２３の外形をなす前面８２３ａと後面８２３ｂとで、その曲率を異ならせて形成している。具体的には、前面８２３ａ側においては曲率を相対的に大きく形成するとともに、上下方向中間からやや上側に亘る領域の曲率を大きく設定することにより、ヘッドレスト本体８２３への前斜め上方からの荷重を好適に受けやすくしている。そしてヘッドレスト本体８２３の樹脂の厚みは全領域に亘って略一定としながらも、後面８２３ｂ側にはスリット８２５周囲からリブ８２５ａを、上側から下へ向かうに従って大きく突出させることによって後面８２３ｂの外形がなす曲率が小さくなるように設定している。そうすることにより、外装材８３をくるんだ際の張り地８３２が「だぶつき」や弛みなく張られる。加えて、後面８２３ｂ下半分のリブ８２５ｂが大きく突出することによって側面視の厚みが実質大きく設定されていることとなる。そのため、スリット８２５による肉盗みによって樹脂の使用量を抑えた構成としつつ、前面８２５ａの斜め上方から受ける荷重を受けるに足る以上剛性を担保している。さらにヘッドレスト本体８２３の上側はリブ８２５ａの突出寸法が小さい為、着座者の荷重に応じて部分的に撓みやすく、着座者頭部に対し好適な感触を外装材８３とともに提供し得るものとなっている。
【００４４】
そして実施形態においては、前記ベース８２１を背インナーシェル８１に直接的に支持させるための取付部分を可及的に薄くするために、以下の部品取付構造Ａを採用している。この部品取付構造Ａは、図７、図８及び図９に示すように、ベース８２１に被取付部品であるナットＮを取り付けるためのものであって、前記ベース８２１に、主凹部Ａ１１と副凹部Ａ１２とを隔壁Ａ１３を介して隣設するとともに、前記主凹部Ａ１１に挿入されるナットＮを該隔壁Ａ１３の弾性変形を利用して係合させる部品保持用の爪Ａ１５を設けたものである。すなわち、前記ナットＮは、軸状をなすナット本体Ｎ１の一端に鍔部Ｎ２を設けてなるいわゆるＴ型ナットタイプのものである。前記主凹部Ａ１１は、前記鍔部Ｎ２を嵌合させ得る有底のもので、その底壁Ａ１４中央部に前記ナット本体Ｎ１をベース８２１裏面側に貫通させるための貫通部Ａ１４ａを有している。前記副凹部Ａ１２は、前記主凹部Ａ１１の両側においてベース８２１の裏面側に貫通させて設けた一対の長孔状のものである。前記隔壁Ａ１３は、前記主凹部Ａ１１と前記対をなす副凹部Ａ１２、Ａ１２との間にそれぞれ形成されたもので、厚み方向に弾性変形可能な厚みに設定されており、これら両隔壁Ａ１３にベース８２１の前面側に突出する爪Ａ１５を設けている。これらの爪Ａ１５は、前記ナットＮが前記主凹部Ａ１１に挿入される際に、隔壁Ａ１３の一時的な弾性変形を利用して前記鍔部Ｎ２の外面側に係合して、ナットＮを主凹部Ａ１１内に保持し得るようになっている。
【００４５】
このようにして相互に一体化された背インナーシェル８１とヘッドレスト８２に外装材８３が装着される。
【００４６】
外装材８３は、図１乃至図４に示すように、モールドウレタン等により作られたクッション８３１と、このクッション８３１の表面側を覆う張地８３２とを具備してなる。この外装材８３は、前記ヘッドレスト８２の屈曲部８２２において前記背インナーシェル８１側に引き込まれており、ヘッドレスト本体領域と背インナーシェル領域とを区画する境界８３３が形成されている。前記外装材８３の引き込み部８２４に対応する箇所の構成を具体的に説明すれば次の通りである。すなわち、この外装材８３は、背ユニット８の前面を覆うための前面部８３Ｆと背ユニット８の背面を覆うための背面部８３Ｂとを備えて成る袋状のもので、ヘッドレスト８２及び背インナーシェル８１を上側からくるむことができるように下側が開放されている。背面部８３Ｂには、上端取付部７３、８１１に対応する上部開口部８３Ｂ１と、下端取付部７４、８１２に対応する下部開口部８３Ｂ２と、後述する係合機構Ｃに対応する中間開口部８３Ｂ３とが穿設されている。
【００４７】
しかして本実施形態では、前面部８３Ｆの前記境界８３３に対応する部位には、引き込み用のワイヤ８３ｗが縫い込まれており、このワイヤ８３ｗを利用して前面部８３Ｆの境界８３３対応部位を前記屈曲部８２２内に引き込むことができるようにしている。またこのワイヤ溝の中間２箇所にはワイヤ８３をワイヤ溝内へと引き込むための紐８３ｔを結びつけるなどして取り付けている。
【００４８】
以上のようにしてなる椅子において、背インナーシェル８１の上部と下部との中間に位置する部位を背アウターシェル７に、面方向の相対移動を許容しつつ厚み方向の相対離間を制限する浮き上がり制限用の係合機構Ｃを介して支持させている。前記係合機構Ｃは、背インナーシェル８１側に設けられ厚み方向に弾性変形可能な複数枚の片持弾性片Ｃ１１を截頭錐形状に配列させてなる受け部Ｃ１と、背アウターシェル７側に設けられ前記片持弾性片Ｃ１１の自由端縁Ｃ１１１により形成される係合孔Ｃ１２に前記片持弾性片Ｃ１１の弾性変形を利用して係わり合う突起Ｃ２とを具備してなる。具体的には、前記受け部Ｃ１は、背インナーシェル８１に移動不能に取り付けられたヘッドレスト８２のベース８２１に一体に形成されたもので、基端縁よりも自由端縁Ｃ１１１側が前方にくるように傾斜させた複数枚の片持弾性片Ｃ１１を、前方に膨出する截頭円錐形状に配列させてなる。また、前記背インナーシェル８１及び前記外装材８３の背面部８３Ｂにおける前記受け部Ｃ１に対応する部位には、この受け部Ｃ１を背ユニット８の背面側に開放するための孔をそれぞれ設けており、これらの孔を通して挿入された突起Ｃ２を前記受け部Ｃ１に係わり合わせるようにしている。突起Ｃ２は、背アウターシェル７の前面側に突設されたもので、前記係合孔Ｃ１２の内径よりも若干小径な軸部Ｃ２１と、この軸部Ｃ２１の先端に設けられ前記係合孔Ｃ１２の内径よりも大きな抜け止め鍔部Ｃ２２とを具備してなる。この突起Ｃ２は、前記背アウターシェル７に一体に設けたものであってもよいし、別体に設けたものであってもよい。
【００４９】
以上のようにしてなる椅子は、前記背インナーシェル８１にヘッドレスト８２を取り付けた上で、これら背インナーシェル８１及びヘッドレスト８２を外装材８３によりくるみ、外装材８３の境界８３３を屈曲部８２２に引き込んで背ユニット８を完成させる。
【００５０】
具体的には、図５にも模式的に示すように、外装材をヘッドレストの上方から被せた際にワイヤ８３ｗとワイヤ溝８２６とを位置決めするとともに、紐を前方から一対の孔である前記紐挿通孔にそれぞれ通し、屈曲部後方すなわち載置段部８２８の位置で結ぶなどすることによって、ワイヤ８３ｗは幅方向略全域に亘って張り地及びクッションを引き込むことによって、外装材の境界８３３が形成されることとなる。
【００５１】
しかる後に、その背ユニット８を背アウターシェル７の前面に取り付ける。背ユニット８を背アウターシェル７に取り付けるにあたっては、まず、背インナーシェル８１の上端取付部８１１に背アウターシェル７の上端取付部７３を係わり合わせるとともに、背インナーシェル８１の下端取付部８１２に背アウターシェル７の下端取付部７４を係わり合わせる。この状態で背ユニット８の中間部を背アウターシェル７方向に押圧し、前記係合機構Ｃの受け部Ｃ１に突起Ｃ２を係合させる。
【００５２】
次いで、この椅子の作動を説明する。図示しない傾動禁止機構を操作してフリーロッキング状態にセットすると、背凭れ６に荷重をかけることにより、背支桿５全体が支持基部２に対して傾動反力発生機構の付勢力に抗して後傾し得ることになる。また、座４もこれに伴ってシンクロチルト動作を行う。一方、傾動禁止機構を操作して任意位置固定状態にセットすると、背凭れ６に荷重をかけることにより、下部背フレーム５２が支持基部２に対して固定され、上部背フレーム５１のみが下部背フレーム５２に対して傾動を許容された状態となる。
【００５３】
このように種々の態様に切換えて使用することができる椅子においては、背凭れ６の背アウターシェル７及び背インナーシェル８１に様々な荷重が作用することになる。特に、本実施形態においては、一本の背支桿５によって背凭れ６を支持しているので、背アウターシェル７及び背インナーシェル８１にねじれ方向の荷重等も作用することがある。しかしこの椅子においては、背アウターシェル７及び背インナーシェル８１を上端部及び下端部において接続しているため、両シェル７、８１を完全に一体化した場合に比べて、背アウターシェル７及び背インナーシェル８１の変形自由度を高めることができる。すなわち、前後の曲げに対しては、両シェル７、８１が協働して対抗するが、左右のねじれに対しては、両シェル７、８１が面方向に相対的にずれ動いてしなやかな変形を実現する等、背凭れ６に多様な変形特性を付与することが可能になる。しかも、この椅子では、両シェル７、８１の中間部において前記係合機構Ｃを用いて係わり合わせているので、面方向の相対移動を許容しつつ前後方向の相対離間を制限するため、多様な変形を実現できるにもかかわらず中間部の浮き上がりを防止することができる。また、受け部Ｃ１が截頭円錐形をなしているので、背インナーシェル８１を背アウターシェル７に取り付ける際に、受け部Ｃ１の中心と突起Ｃ２の中心とに多少の位置ずれがあっても、両者を押しつけることにより、突起Ｃ２の先端が受け部Ｃ１の係合孔Ｃ１２に案内され係合を完了させることができる。そのため、係合機構Ｃを目視できない状態でも、押しつけ動作のみで容易に取り付けることができる。
【００５４】
以上のような構成とすることにより、本実施形態に係る椅子は、ヘッドレスト８２を背インナーシェル８１に直接に支持させているため、着座者の上体の細やかな移動に対して、自ずとヘッドレスト８２の動きを細やか且つ速やかに対応させることが可能となっている。そうすることにより、背インナーシェル８１に背を預けた着座者の座り心地を損なうことなく好適に頭部を支持し得るヘッドレスト８２付きの椅子を実現している。
【００５５】
背インナーシェル８１の動作を損なうことを有効に回避し得るヘッドレスト８２の取付を実現するために本実施形態では、ヘッドレスト８２をシェル本体８１０に取り付けるためのベース８２１に取り付けたものとしている。
【００５６】
そしてヘッドレスト８２にも背インナーシェル８１同様のクッション８３１を簡単な構造で適用するために本実施形態では、屈曲部８２２に、当該屈曲部８２２において側面視凹ませた前面側にクッション８３１の引き込み部８２４を設けている。そして特に、引き込み部８２４が、前記クッション８３１並びに張り地８３２を押える為のワイヤ８３ｗを位置付けるためのワイヤ溝８２６と、当該ワイヤ８３ｗを引っ張る紐８３ｔを挿通させるための紐挿通孔８２７とを設けて、張り地８３２やクッション８３１を速やか且つ確実に取り付け得るものとなっている。
【００５７】
そして本実施形態では、屈曲部８２２の背面側に背インナーシェル８１の上縁に載置するための側面視突出させた載置段部８２８を設けることによって、ヘッドレスト８２の背インナーシェル８１に対する取り付け並びに位置決めを速やか且つ確実に行い得るものとなっている。
【００５８】
また本実施形態ではベース８２１がシェル本体８１０に密着し得る板状のものとしているので、背インナーシェル８１に対する着座感を損なわずにヘッドレスト８２を取り付け得るものとなっている。
【００５９】
そして本実施形態では、樹脂の一体成型であるヘッドレスト８２の形状を、ヘッドレスト本体８２３を側面視湾曲させた形状とするとともに前記ベース８２１を平面視湾曲させた形状とすることにより、ヘッドレスト本体８２３並びにベース８２１の強度を有効に担保している。
【００６０】
そして、背ユニット８に含まれる背インナーシェル８１が着座者の上体に忠実に応じた動きを成し得るようにするために本実施形態では、背ユニット８すなわち背インナーシェル８１の上端を背アウターシェル７に対して当該背アウターシェル７に対する面方向の動作を許容した状態で取り付けている。そうすることにより、背ユニット８の上端に位置付けられるヘッドレスト８２が着座者の上体の動作に応じた細やかな動作が可能となっている。
【００６１】
以上、本発明の実施形態について説明したが、各部の具体的な構成は、上述した実施形態のみに限定されるものではなく、本発明の趣旨を逸脱しない範囲で種々変形が可能である。
【００６２】
例えば、上記実施形態ではヘッドレストが背インナーシェルに対して別体である態様を開示した。またヘッドレスト本体や屈曲部、外装材等の具体的な態様は上記実施形態のものに限定されることはなく、既存のものを含め、種々の態様のものを適用することができる。
【００６３】
その他、各部の具体的構成についても上記実施形態に限られるものではなく、本発明の趣旨を逸脱しない範囲で種々変形が可能である。
【符号の説明】
【００６４】
７…背アウターシェル
８１…背インナーシェル
８２…ヘッドレスト
８２１…ベース
８２２…屈曲部
８２３…ヘッドレスト本体
８２４…引き込み部
【図１】
0005561757.tif 000002
【図２】
0005561757.tif 000003
【図３】
0005561757.tif 000004
【図４】
0005561757.tif 000005
【図５】
0005561757.tif 000006
【図６】
0005561757.tif 000007
【図７】
0005561757.tif 000008
【図８】
0005561757.tif 000009
【図９】
0005561757.tif 000010
【図１０】
0005561757.tif 000011
【図１１】
0005561757.tif 000012